(57)【特許請求の範囲】
【請求項１】
水平方向に沿って互いに平行に設けられ、スキャナが所定の装着方向に沿って水平に装着される一対の支持梁と、
前記一対の支持梁における前記スキャナ装着方向に対して後方の面に、スキャナ装着方向に対して後方に突出するように少なくとも２本設けられ、前記スキャナに係合する係合軸と、
前記係合軸に係合したスキャナを前記支持梁に対して固定する締結手段と、
を備えるスキャナ支持台。
【請求項２】
前記係合軸は、夫々の支持梁に２本ずつ設けられている請求項１に記載のスキャナ支持台。
【請求項３】
前記支持梁は、何れも同一断面形状および同一寸法で形成されている請求項２に記載のスキャナ支持台。
【請求項４】
請求項１〜３に記載のスキャナ支持台に装着されるスキャナであって、前記装着方向に沿って前記スキャナを前記スキャナ支持台に挿着したときに、前記スキャナ支持台の支持梁に設けられた係合軸が係合される係合部材が、前記支持梁に当接する側の面に一対設けられているスキャナ。
【請求項５】
前記係合軸が係合する係合孔が前記一対の係合部材の夫々に形成されているとともに、一の係合部材に形成された係合孔のうちの１つは丸孔であって、残りは水平方向に延びた長孔である請求項４に記載のスキャナ。
【請求項６】
前記係合孔が形成された側の面に前記支持梁を収容する凹陥部が形成され、前記係合部材は、前記凹陥部の内側に配設されている請求項４または５に記載のスキャナ。
【請求項７】
前記凹陥部は、前記装着方向に沿って前記スキャナを前記スキャナ支持台に挿着したときに、前記支持梁の端面が前記凹陥部の側壁面に当接するように形成されている請求項６に記載のスキャナ。
【請求項８】
前記スキャナを前記スキャナ支持台に仮置きするときに、前記一対の支持梁のうちの前記装着方向に沿って下流側の支持に設けられた係合軸が係合する補助取付ステイが、前記係合部材のうち、前記装着方向に沿って下流側の係合部材と前記スキャナの重心点との間に配設された請求項４〜７の何れか１項に記載のスキャナ。
【請求項９】
請求項１〜３の何れか１項に記載のスキャナ支持台と、前記スキャナ支持台に装着された請求項４〜８の何れか１項に記載のスキャナとを備えるスキャナユニット。
【請求項１０】
請求項９に記載のスキャナユニットと、前記スキャナユニットの備えるスキャナで画像を読み込んで得られた画像データに基いて記録媒体に画像を印刷するプリンタユニットとを備える画像形成装置。
【請求項１１】
前記プリンタユニットは電子写真方式である請求項１０の画像形成装置。
【請求項１２】
前記プリンタユニットはインクジェット方式である請求項１０の画像形成装置。
【発明の詳細な説明】
【技術分野】
【０００１】
本発明は、スキャナ支持台、スキャナ、スキャナユニット、および画像形成装置に関する。
【背景技術】
【０００２】
デジタル複写機やデジタルファクシミリなどのデジタル画像記録装置は、通常、原稿の画像を読み取って画像信号に変換するスキャナと、スキャナからの画像信号に基づいて記録用紙などの記録媒体に画像を形成する電子写真式のプリンタと、前記スキャナおよびプリンタが取り付けられるラックとを備える。
【０００３】
前記デジタル画像記録装置においては、ラックは、スキャナが取り付けられるスキャナ載置台とプリンタが取り付けられるプリンタ載置台とを備える。そして、通常は、スキャナがプリンタの上方に取り付けられるように、スキャナ載置台がプリンタ載置台の上方に位置する。そして、オペレータの操作の便を考慮し、プリンタで画像が記録された記録用紙が排出される排紙トレイが、スキャナとプリンタとの間の部分、具体的にはプリンタの上面に設けられている。
【０００４】
近年、軽量化の趣旨から、スキャナの筐体とフレームとを樹脂で一体成型することが一般的に行われている。
【０００５】
しかしながら、スキャナは、長時間の使用によって発熱するので、筐体およびフレームが熱膨張する。したがって、スキャナをただ単にラックに固定すると、熱膨張によってスキャナのフレームが歪み、画像が正しくスキャニングできなくなるという問題がある。
【０００６】
そこで、スキャナの熱膨張を吸収できるスキャナの取付け方法として、
【０００７】
画像読取手段（スキャナ）を画像処理装置（プリンタ）に対して保持する保持手段を、画像読取手段に着脱自在に取り付け、保持手段を画像処理装置に対して固定する方法（特許文献１）、
【０００８】
スキャナユニット９を、溶接構造体のステー上に固定すること（特許文献２）、
【０００９】
天板の上にスキャナ部を載せて位置決めし、空間部である排紙収納部２３の装置本体前面あるいは開放した側面を利用して天板の下面から螺子孔に螺子をいれ、螺子を天板の上面側に貫通させ、スキャナ部下面の螺子孔に捻り込み、スキャナ部を固定する方法（特許文献３）などが提案された。
【００１０】
【特許文献１】特開平１０−３２７２７５号公報
【特許文献２】特開平１１−２５８８８５号公報
【特許文献３】特開平１１−１６４０７６号公報
【発明の開示】
【発明が解決しようとする課題】
【００１１】
近年、コストダウンを意図し、スキャナ筐体を薄型にするようになったので、スキャナ自体の剛性が低下し、正確なスキャニング面が得られないと言う問題が生じている。
【００１２】
しかしながら、スキャナ筐体そのものを補強するには、スキャナ筐体を板金絞り加工で形成したり、スキャナ筐体に中空部を多く採ったりするなどの必要があり、コストアップに繋がる。
【００１３】
本発明は、スキャナを装着することにより、スキャナに剛性を付与して正確なスキャニング面が得られるようにするスキャナ支持台を提供することを目的とする。
【課題を解決するための手段】
【００１４】
請求項１に記載の発明は、スキャナ支持台において、水平方向に沿って互いに平行に設けられ、スキャナが所定の装着方向に沿って水平に装着される一対の支持梁と、前記一対の支持梁における前記スキャナ装着方向に対して後方の面に、スキャナ装着方向に対して後方に突出するように少なくとも２本設けられ、前記スキャナに係合する係合軸と、前記係合軸に係合したスキャナを前記支持梁に対して固定する締結手段と、を備えることを特徴とする。
【００１６】
請求項２に記載の発明は、請求項１に記載のスキャナ支持台において、前記係合軸が、夫々の支持梁に２本ずつ設けられていることを特徴とする。
【００１７】
請求項３の発明は、請求項２に記載のスキャナ支持台において、前記支持梁が、何れも同一断面形状および同一寸法で形成されていることを特徴とする。
【００１８】
請求項４に記載の発明は、請求項１〜３に記載のスキャナ支持台に装着されるスキャナであって、前記装着方向に沿って前記スキャナを前記スキャナ支持台に挿着したときに、前記スキャナ支持台の支持梁に設けられた係合軸が係合される係合部材が、前記支持梁に当接する側の面に一対設けられていることを特徴とする。
【００１９】
請求項５に記載の発明は、請求項４に記載のスキャナにおいて、前記係合軸が係合する係合孔が前記一対の係合部材の夫々に形成されているとともに、一の係合部材に形成された係合孔のうちの１つは丸孔であって、残りは水平方向に延びた長孔であることを特徴とする。
【００２０】
請求項６に記載の発明は、請求項４または５に記載のスキャナにおいて、前記係合孔が形成された側の面に前記支持梁を収容する凹陥部が形成され、前記係合部材は、前記凹陥部の内側に配設されていることを特徴とする。
【００２１】
請求項７に記載の発明は、請求項６に記載のスキャナにおいて、前記凹陥部は、前記装着方向に沿って前記スキャナを前記スキャナ支持台に挿着したときに、前記支持梁の端面が前記凹陥部の側壁面に当接するように形成されていることを特徴とする。
【００２２】
請求項８に記載の発明は、請求項５〜８の何れか１項に記載のスキャナにおいて、前記スキャナを前記スキャナ支持台に仮置きするときに、前記一対の支持梁のうちの前記装着方向に沿って下流側の支持に設けられた係合軸が係合する補助取付ステイが、前記係合部材のうち前記装着方向に沿って下流側の係合部材と前記スキャナの重心点との間に配設されたことを特徴とする。
【００２３】
請求項９に記載の発明は、スキャナユニットにおいて、請求項１〜３の何れか１項に記載のスキャナ支持台と、前記スキャナ支持台に装着された請求項４〜８の何れか１項に記載のスキャナとを備えることを特徴とする。
【００２４】
請求項１０に記載の発明は、画像形成装置において、請求項９に記載のスキャナユニットと、前記スキャナユニットの備えるスキャナで画像を読み込んで得られた画像データに基いて記録媒体に画像を印刷するプリンタユニットとを備えることを特徴とする。
【００２５】
請求項１１に記載の発明は、請求項１０の画像形成装置において、前記プリンタユニットが電子写真方式であることを特徴とする。
【００２６】
請求項１１に記載の発明は、請求項１０の画像形成装置において、前記プリンタユニットがインクジェット方式であることを特徴とする。
【発明の効果】
【００２７】
請求項１の発明によれば、スキャナを所定の装着方向に沿って水平に装着することにより、スキャナに設けられた係合部材が、支持梁に設けられた係合軸に係合する。これによってスキャナは支持梁に強固に固定されるから、スキャナ自体の剛性が低い場合であってもスキャナに十分な剛性が付与され、正確なスキャニング面が得られる。
【００２８】
請求項２の発明によれば、スキャナを装着して締結手段で固定すれば、キャリッジが走行、停止する際の衝撃は殆どすべてスキャナの走査方向、換言すればキャリッジの移動方向に対して直交する方向に設けられた支持梁で受け止められる故に、スキャナ支持台において、キャリッジが走行、停止する際の衝撃によって係合軸に剪断力が作用することが防止される。
【００２９】
請求項３の発明によれば、夫々の支持梁に係合軸が必要最低限の本数である２本ずつ設けられていることにより、各支持梁における係合軸の本数が３本以上であるスキャナ支持台と比較してスキャナの装着が容易なスキャナ支持台が得られる。
【００３０】
請求項４の発明によれば、支持梁として同一品を同一方向に使用できるから、高精度のスキャナ支持台が得られる。
【００３１】
請求項５の発明によれば、単体としての剛性は低くても、請求項１〜４のスキャナ支持台に挿着することにより、十分な剛性の得られるスキャナが提供される。
【００３２】
請求項６の発明によれば、一の係合部材に形成された係合孔のうち、１個は丸孔であり、残りが長孔であるから、スキャナ支持台との位置合せの容易なスキャナが提供される。
【００３３】
請求項７の発明によれば、スキャナ支持台に装着した状態においては、スキャナ支持台の支持梁および係合部材が凹陥部に収納された状態になり、外からは見えなくなるので、支持梁や係合部材を隠すためのカバーの不要なスキャナが提供される。
【００３４】
請求項８の発明によれば、底面の凹陥部がスキャナ支持台に挿着する際のガイドも兼用するので、特別なガイド部材なしにスキャナ支持台に高精度で容易に挿着できるスキャナが提供される。
【００３５】
請求項９の発明によれば、スキャナ支持台への仮置き時に、前記スキャナ支持台における下流側の支持に設けられた係合軸を第３の係合部材に係合させることにより、スキャナ支持台からの落下を防止できるスキャナが提供される。
【００３６】
請求項１０の発明によれば、スキャナ単体での剛性が低い場合においてもスキャナ支持台に前記スキャナを挿着することにより、前記スキャナが高剛性で装着されて正しいスキャニング面が形成される故に、高い画像読取精度が得られるスキャナユニットが提供される。
【００３７】
請求項１１によれば、スキャナユニットとプリンタユニットとに分かれている故に配置の自由度が高く、また、スキャナでの画像読取精度が高い故に高精度で画像を印刷できる画像形成装置が得られる。
【００３８】
請求項１２の発明によれば、配置の自由度の高い電子写真方式の画像形成装置が提供される。
【００３９】
請求項１３の発明によれば、配置の自由度の高いインクジェット方式の画像形成装置が提供される。
【発明を実施するための最良の形態】
【００４０】
１．実施形態１
【００４１】
以下、本発明に係る画像記録装置の一例であるデジタル複写機について図面を用いて説明する。
【００４２】
［構成］
実施形態１に係るデジタル複写機２は、図１及び図２に示すように、スキャナ６と、スキャナ６を下方からスキャナ支持台４と、スキャナ６で読み取った画像を印字するプリンタユニット１０とから構成される。スキャナ６とスキャナ支持台４とによって本発明におけるスキャナユニットが構成される。
【００４３】
先ず、プリンタユニット１０について説明する。
図１に示すように、プリンタユニット１０は、フルカラーの印刷が可能なように、例えば、下からイエロー（Ｙ）、マゼンタ（Ｍ）、シアン（Ｃ）、ブラック（Ｋ）の順に鉛直方向に配設された現像ユニット１６Ｙ〜１６Ｋと、光学ユニット２４と、現像ユニット１６Ｙ〜１６Ｋを着脱可能に収容する本体フレーム１２と、本体フレーム１２に対し、開閉可能に設けられ、閉じたときは本体フレーム１２と一体の筐体を構成するカバー体１４とを備える。カバー体１４に、記録用紙Ｐを吸着搬送可能な搬送ベルト３４を備えた転写搬送ユニット１８が着脱可能に取り付けられている。
【００４４】
現像ユニット１６Ｙ〜１６Ｋは、夫々、画像データに基づいて光学ユニット２４によって表面が照射され、表面に静電電位の差による潜像が形成されるロール状の像担持体２０と、像担持体２０の表面を一様に帯電する帯電ローラー２２と、潜像にトナーを選択的に転移して可視化する現像ローラー２６と、トナー像が転写された後の像担持体２０に摺接し、その像担持体２０に残留するトナーをクリーニングするクリーニング部材２８とを備える。
【００４５】
像担持体２０は、表面に感光体層を有し、帯電ローラー２２によって、その表面が一様に帯電された後、光学ユニット２４から照射されるレーザ光（画像光）によって、その表面が露光され、その露光された部分の電位が減衰することにより静電潜像（画像）が形成される。なお、帯電ローラー２２は、像担持体２０に当接し、これらの間に電圧が印加され、当接部付近の微少間隙内で放電が生じることにより、像担持体２０の表面を略一様に帯電する。
【００４６】
光学ユニット２４は、点滅するレーザ光を像担持体２０の表面に走査させ、画像データに基づいた静電潜像を像担持体２０の表面上に形成する。なお、光学ユニット２４としては、他にＬＥＤ等の発光素子を配列し、これらを画像データに基づいて点滅させるものなどが考えられる。
【００４７】
現像ローラー２６は、像担持体２０と近接して対向するように配置され、この現像ローラー２６と像担持体２０との間に現像バイアス電圧が印加されるようになっている。これにより、現像ローラー２６と像担持体２０との間には現像バイアス電界が形成され、電荷を有するトナーが像担持体２０上の露光された部分に転移して可視像を形成する。
【００４８】
一方、転写搬送ユニット１８は、少なくとも駆動ローラー３０と従動ローラー３２に張架された搬送ベルト３４を備え、搬送ベルト３４の内面側で、駆動ローラー３０と従動ローラー３２の間の所定位置には、転写ローラー３６が所定間隔を隔ててＹ、Ｍ、Ｃ，Ｋの各色に対応して４個配設されている。
【００４９】
この転写ローラー３６は、カバー体１４を閉じたときに搬送ベルト３４を挟んで像担持体２０と対向するように配設され、像担持体２０との間に転写電界を形成することによって、搬送ベルト３４に吸着搬送されて通過する記録用紙Ｐ上に、像担持体２０表面のトナー像（未定着像）を転写させるようになっている。
【００５０】
現像ユニット１６Ｙ〜１６Ｋよりも記録用紙Ｐの搬送方向下流側、換言すれば本体フレーム１２の上部には、定着装置３８が配設されている。
【００５１】
定着装置３８は、互いの周面が対向して所定の圧力で圧接（ニップ）される加熱ローラー４０と加圧ローラー４２とを備え、加熱ローラー４０および加圧ローラー４２で記録用紙Ｐ上に転写された未定着のトナー像を加熱・加圧することにより、記録用紙Ｐにトナー像を定着する機能を有する。
【００５２】
なお、定着装置３８（加熱ローラー４０および加圧ローラー４２）によって加熱・加圧されてトナー像が定着された記録用紙Ｐは、排紙トレイ４４上へ排出される。そして、記録用紙Ｐへトナー像を転写終了後、像担持体２０の表面は、クリーニング部材２８によってクリーニング処理され、次回の作像処理に備えるようになっている。
【００５３】
また、本体フレーム１２の下部には、給紙カセット４６が着脱自在に装着されている。給紙カセット４６は、記録用紙Ｐが送り出される方向と逆方向に引き抜き可能となっており、適宜記録用紙Ｐを給紙できるようになっている。
【００５４】
給紙カセット４６の先端部近傍には、給紙カセット４６内から記録用紙Ｐを１枚ずつ送り出す給紙ローラー対４８が設けられており、給紙ローラー対４８から送り出された記録用紙Ｐは、レジストローラー対４９によって、所定のタイミングで搬送ベルト３４の吸着搬送面へ送り出され、各色のトナー像の転写位置へ搬送される。
【００５５】
プリンタユニット１０においては、現像ユニット１６Ｙ〜１６Ｋの像担持体２０Ｙ〜２０Ｋが設けられた側に隣接して転写搬送ユニット１８が設けられている。転写搬送ユニット１８は、上端部に回転可能に軸支された駆動ローラー３０と、下端部に回転可能に軸支された従動ローラー３２と、駆動ローラー３０および従動ローラー３２に巻回・張架され、記録用紙Ｐを静電吸着可能な搬送ベルト３４とを備える。そして、駆動ローラー３０と従動ローラー３２の間における搬送ベルト３４の内面側には、所定間隔を隔ててＹ〜Ｋの各色毎に転写ローラー３６Ｙ〜３６Ｋが軸支されている。各転写ローラー３６Ｙ〜３６Ｋは、搬送ベルト３４を挟んで、各像担持体２０Ｙ〜２０Ｋに所定の圧力で圧接され、搬送ベルト３４の走行に追従して回転する。  プリンタユニット１０は、更に、図１に示すように、現像ユニット１６Ｙ〜１６Ｋ、転写搬送ユニット１８、光学ユニット２４、定着装置３８等を制御、統制するプリンタ制御基板５０、プリンタユニット１０とスキャナ６との間で画像信号を授受するとともに、スキャナ６を制御するスキャナ制御基板５１、および電源基板５２が設けられている。
【００５６】
次に、スキャナ支持台４およびスキャナ６について説明する。
【００５７】
スキャナ支持台４は、図７に示すように、垂直方向に延在する一対の支柱７０と、支柱７０を上端部で連結する水平方向の部材である上板７２と、支柱７０の頂部と上板７２とに固定された支持枠体７４とを備える。
【００５８】
支持枠体７４は、図７および図８に示すように、スキャニング方向ａに対して直交する方向に延在する一対の支持梁７５と、スキャニング方向ａに沿って設けられ、支持梁７５の両端を連結する連結梁７６とを備える。支持梁７５および連結梁７６は、何れも矩形状断面を有する中空体である。
【００５９】
支持梁７５のスキャニング方向ａに対して上流側を向いた側面には、ピン状の係合軸７７が一対ずつ、スキャナ６の装着方向、即ちスキャニング方向ａに沿って突出するように突設されている。
【００６０】
なお、上板７２には、締結螺子７８（締結手段）が螺合する螺子孔７２Ａが一対形成されている。
【００６１】
スキャナ６は、図２および図３に示すように、画像を読み取るべき原稿が載置される原稿台６２と、原稿送り手段に相当し、原稿台６２上に開閉可能に載置された原稿送り装置６４と、原稿送り装置６４に送る原稿を載置する原稿載置台６６とを備える。
【００６２】
原稿台６２の内側には、図３に示すように１対のレール６３と、レール６３に沿って矢印ａの方向に移動して画像を読み取る原稿読み取り手段である画像読取キャリッジ６０と、レール６３に沿って設けられ、画像読取キャリッジ６０を駆動する駆動ベルト６１が設けられている。駆動ベルト６１はステッピングモータ（図示せず。）によって回転する。画像読取キャリッジ６０は、下面において駆動ベルト６１に固定されている。画像読取キャリッジ６０は、駆動ベルト６１を一の方向に回転させることにより矢印ａに沿って移動し、他の方向に回転させることにより矢印ａとは反対の方向に移動する。
【００６３】
更に、画像読取キャリッジ６０の下面にはコロまたは当て面が設けられ、前記コロがレール６３上を転動することにより、画像読取キャリッジ６０はスムースに移動する。
【００６４】
原稿台６２の上面にはガラス窓（図示せず。）が設けられ、原稿台６２に載置された原稿は、ガラス窓を通して画像読取キャリッジ６０によって読み取られる。原稿台６２に載置された原稿の画像を読み取るときの画像読取キャリッジ６０の移動方向ａは、スキャナ６のスキャニング方向である。原稿送り装置６４で原稿を送りながら読み取るときは、画像読取キャリッジ６０を停止させた状態で読み取りを行う。
【００６５】
図４〜図６に示すように、原稿台６２の底板６２Ａには、スキャナ支持台４にスキャナ６を装着するための取付ステイ６５Ａおよび取付ステイ６５Ｂが固定されている。取付ステイ６５Ａおよび取付ステイ６５Ｂは、本発明の係合部材に相当する。取付ステイ６５Ａは、底板６２Ａのスキャニング開始側の端部に、取付ステイ６５Ｂは、底板６２Ａのスキャニング終了側の端部に固定されている。
【００６６】
取付ステイ６５Ａおよび取付ステイ６５Ｂは、図４および図５に示すように底板６２Ａに直接に固定されていてもよいが、図６に示すように、支持枠体７４が挿入される凹陥部６２Ｂを形成し、凹陥部６２Ｂの内側に取付ステイ６５Ａおよび取付ステイ６５Ｂを固定してもよい。
【００６７】
但し、凹陥部６２Ｂを形成するときは、凹陥部６２Ｂのスキャニング方向ａに対して直交する方向の寸法が支持枠体７４のスキャニング方向ａに直交する方向の寸法以上とし、、また、スキャニング方向ａに沿った寸法は、連結梁７６の長さよりも大きくする。凹陥部６２Ｂの寸法を上記範囲とすることにより、スキャナ６をスキャナ支持台４に装着したときに支持枠体７４、取付ステイ６５Ａ、および取付ステイ６５Ｂは凹陥部６２Ｂの内側に隠れて外からは見えなくなるから、支持枠体７４、取付ステイ６５Ａ、および取付ステイ６５Ｂを隠すためのカバーを省略できる。また、凹陥部６２Ｂのスキャニング方向ａに対して直交する方向の寸法が支持枠体７４のスキャニング方向ａに直交する方向の寸法と略同一とすることにより、凹陥部６２Ｂが、支持枠体７４のガイドとして機能するから、スキャナ支持台４にスキャナ６を取り付けるための特別なガイド部材が不要になる。
【００６８】
取付ステイ６５Ａおよび取付ステイ６５Ｂには、図９に示すように、係合軸７７が係合する係合孔６５Ｃが夫々一対ずつ設けられている。係合孔６５Ｃは図４および図６に示すように２個とも丸孔であってもよいが、図５に示すように一方を水平方向に延びる長孔とし、他方を丸孔とすれば、係合孔６５Ｃおよび係合軸７７の位置が少々不正確であっても、スキャナ６をスキャナ支持台４に支障なく装着できる故に好ましい。
【００６９】
取付ステイ６５Ａの係合孔６５Ｃよりも下方には、図４〜図６、および図１０に示すように、スキャナ支持台４の支持枠体７４にスキャナ６を締結する締結螺子７８が挿通される締結孔６５Ｄが一対形成されている。締結孔６５Ｄが形成された部分は、図１０の（Ａ）に示すように係合孔６５Ｃが形成された部分に対して階段状に突出していてもよいし、同図の（Ｂ）に示すように、同一面とされていてもよい。
【００７０】
なお、図１１に示すように、取付ステイ６５Ａと取付ステイ６５Ｂとの間に位置におけるスキャナ６の重心位置よりも取付ステイ６５Ｂ寄りの位置に、取付ステイ６５Ａおよび取付ステイ６５Ｂに対して平行に補助取付ステイ６７を設けてもよい。補助取付ステイ６７は、取付ステイ６５Ｂと同様の形態とすることができる。補助取付ステイ６７を設けることにより、スキャニング方向ａに対して下流側の端部が支持枠体７４から突出する仮置き位置でスキャナ６を支持枠体７４に載置したときに、図１２に示すように補助取付ステイ６７を下流側の支持梁７５に係合させることにより、スキャナ６を支持枠体７４から落下しないように保持することができる。したがって、スキャナ６とスキャナ制御基板５１との配線作業等を仮置き位置で安全に行うことができる。
【００７１】
［作用］
【００７２】
以下、デジタル複写機２の作用について説明する。
【００７３】
スキャナ６で原稿が読み取られると、画像データは、スキャナ６からスキャナ制御基板５１を介してプリンタユニット１０におけるプリンタ制御基板５０に入力される。プリンタ制御基板５０は、入力された画像データに基づいて現像ユニット１６Ｙ〜１６Ｋ、転写搬送ユニット１８、光学ユニット２４、定着装置３８等を制御、統制し、以下の手順によって記録用紙Ｐにトナー画像を形成する。
【００７４】
先ず、給紙ローラー対４８により、給紙カセット４６内から１枚ずつ記録用紙Ｐが取り出され、レジストローラー対４９によって所定のタイミングで搬送ベルト３４上に送られる。搬送ベルト３４上に送られた記録用紙Ｐは、その搬送ベルト３４によって静電吸着され、各色の像担持体２０Ｙ〜２０Ｋへ搬送される。
【００７５】
一方、現像ユニット１６では、まず、帯電ローラー２２によって像担持体２０の表面が一様に帯電される。そして、光学ユニット２４からレーザ光（画像光）が像担持体２０の表面に走査され、画像データに基づいた静電潜像が像担持体２０の表面上に形成される。その後、現像ローラー２６によってトナーが像担持体２０上に転移され、その像担持体２０の表面に可視像が形成される。
【００７６】
こうして、像担持体２０の表面に可視像が形成されたら、搬送ベルト３４に吸着搬送されて通過する記録用紙Ｐ上に、像担持体２０表面のトナー像（未定着像）が、像担持体２０と転写ローラー３６によって転写される。これをイエロー（Ｙ）、マゼンタ（Ｍ）、シアン（Ｃ）、ブラック（Ｋ）の順に行い、記録用紙Ｐ上にフルカラーのトナー像（未定着像）が転写されたら、記録用紙Ｐは、搬送ベルト３４によって定着装置３８へ搬送される。
【００７７】
定着装置３８に搬送された記録用紙Ｐは、加熱ローラー４０及び加圧ローラー４２によって、それに転写されている未定着のトナー像が加熱・加圧されて定着される。そして、定着装置３８によってトナー像が定着された記録用紙Ｐは、排紙トレイ４４上へ排出される。なお、記録用紙Ｐへのトナー像の転写終了後、像担持体２０の表面は、クリーニング部材２８によってクリーニング処理され、次の作像処理に備える。
【００７８】
スキャナ６は、スキャニング開始側の端部においてスキャナ支持台４に固定されている上、取付ステイ６５Ａ、６５Ｂにおいて、スキャニング方向ａに直交する支持梁７５の係合軸７７に係合しているから、画像読取キャリッジ６０がスキャニング開始位置に戻るときの衝撃でスキャナ６のスキャナ支持台４に対する相対位置がずれたり、取付部分が破損したりすることがない。また、前記スキャニング開始側の端部は、原稿送り装置６４が設けられた側の端部でもあるから、原稿送り装置６４で原稿を送りながら画像を読み取る場合においても、原稿送り装置６４からの衝撃でスキャナ６の位置が狂うことがない。また、スキャナ６をスキャナ支持台４に装着するときの作業性にも優れている。
【００７９】
以上、プリンタユニット１０が電子写真式である例について説明したが、プリンタユニット１０は、インクジェット式プリンタであってもよい。
【図面の簡単な説明】
【００８０】
【図１】図１は、実施形態１に係るデジタル複写機の構成を示す概略断面図である。
【図２】図２は、実施形態１に係るデジタル複写機の備えるスキャナおよびその周辺の構成を示す斜視図である。
【図３】図３は、図２に示すスキャナの備える原稿台６２の内部構造の概略を示す斜視図である。
【図４】図４は、図２に示すスキャナにおける取付ステイの取付構造の一例について下方から見たところを示す斜視図である。
【図５】図５は、図２に示すスキャナにおける取付ステイの取付構造の別の例について下方から見たところを示す斜視図である。
【図６】図６は、図２に示すスキャナにおける取付ステイの取付構造の更に別の例について下方から見たところを示す斜視図である。
【図７】図７は、実施形態１に係るデジタル複写機においてスキャナを下方から支持するスキャナ支持台の構成を示す斜視図である。
【図８】図８は、図７に示すスキャナ支持台の備える支持枠体を斜め下方から見たところを示す斜視図である。
【図９】図９は、スキャナをスキャナ支持台に装着したところを斜め下方から見たところを示す斜視図である。
【図１０】図１０は、スキャナにおいて支持梁に突設された係合軸に係合する取付ステイの形態の一例を示す拡大断面図である。
【図１１】図１１は、スキャナにおいて、一対の取付ステイの間に補助取付ステイを設けた例を示す部分断面図である。
【図１２】図１２は、図１１に示すスキャナをスキャナ支持台の仮置き位置に挿着した状態を示す部分断面図である。
【符号の説明】
【００８１】
２      デジタル複写機
４      スキャナ支持台
６      スキャナ
１０      プリンタユニット
６０      画像読取キャリッジ
６１      駆動ベルト
６２      原稿台
６２Ａ    底板
６２Ｂ    凹陥部
６３      レール
６４      原稿送り装置
６５Ａ    取付ステイ
６５Ｂ    取付ステイ
６５Ｃ    係合孔
６５Ｄ    締結孔
６６      原稿載置台
６７      補助取付ステイ
７０      支柱
７２      上板
７２Ａ    螺子孔
７４      支持枠体
７５      支持梁
７６      連結梁
７７      係合軸
７８      締結螺子
【図１】
0005088199.tif 000002
【図２】
0005088199.tif 000003
【図３】
0005088199.tif 000004
【図４】
0005088199.tif 000005
【図５】
0005088199.tif 000006
【図６】
0005088199.tif 000007
【図７】
0005088199.tif 000008
【図８】
0005088199.tif 000009
【図９】
0005088199.tif 000010
【図１０】
0005088199.tif 000011
【図１１】
0005088199.tif 000012
【図１２】
0005088199.tif 000013